(57)【要約】ピア・ツー・ピア・ネットワーク内でスパムを減らす本方法および本装置の一実施形態は、少なくとも１つのデコイ・ワードを含む探索メッセージを形成すること、および、デコイ・ワードを含むこの探索要求メッセージをネットワーク内の１つまたは複数のノードへ送信することを含む。本発明の実施形態は、あらゆる探索メッセージに応答して（例えば、探索メッセージの内容に関係なく）スパムを送信するネットワーク内のノードを除外することを可能にする。
2008547095.tif 000002
【特許請求の範囲】
【請求項１】
ネットワーク内のスパムを減らす方法であって、
少なくとも１つのデコイ・ワードを含む探索メッセージを形成する工程と、
前記探索要求メッセージを前記ネットワーク内の１つまたは複数のノードへ送信する工程と
を含む方法。
【請求項２】
前記少なくとも１つのデコイ・ワードは任意に選択された自然語である、請求項１に記載の方法。
【請求項３】
前記少なくとも１つのデコイ・ワードは架空の語である、請求項１に記載の方法。
【請求項４】
前記少なくとも１つのデコイ・ワードは、前記探索メッセージ中に含まれている少なくとも１つの探索キーワードと無関係である、請求項１に記載の方法。
【請求項５】
前記形成工程は、
ユーザから探索メッセージを受信する工程と、
前記少なくとも１つのデコイ・ワードを前記探索メッセージに追加する工程と
を含む、請求項１に記載の方法。
【請求項６】
前記少なくとも１つのデコイ・ワードは、前記受信した探索メッセージ中に含まれるワードまたは文字の総数のうち所定割合を含む、請求項５に記載の方法。
【請求項７】
前記少なくとも１つのデコイ・ワードは所定定数のデコイ・ワードを含む、請求項１に記載の方法。
【請求項８】
前記少なくとも１つのデコイ・ワードは、ユーザにより送信された１つまたは複数の先行の探索メッセージに基づく数のデコイ・ワードを含む、請求項１に記載の方法。
【請求項９】
前記探索メッセージへの応答として少なくとも１つの応答メッセージを受信する工程と、
前記少なくとも１つの応答メッセージが、スパムとして分類されるのに十分なデコイ・ワードを含んでいるかどうかを判断する工程と
をさらに含む、請求項１に記載の方法。
【請求項１０】
前記少なくとも１つの応答メッセージにおいて前記少なくとも１つのデコイ・ワードと一致するワードの数が所定の閾値数以上となれば、前記少なくとも１つの応答メッセージはスパムとして分類されるのに十分なデコイ・ワードを含んでいる、請求項９に記載の方法。
【請求項１１】
前記応答メッセージ中のワードまたは文字の総数の所定の閾値割合以上が前記少なくとも１つのデコイ・ワードと一致すれば、前記少なくとも１つの応答メッセージはスパムとして分類されるのに十分なデコイ・ワードを含んでいる、請求項９に記載の方法。
【請求項１２】
スパムとして分類された複数の応答メッセージおよび本物の応答として分類された複数の応答メッセージをユーザへ識別表示する工程
をさらに含む、請求項９に記載の方法。
【請求項１３】
前記識別表示は、前記スパム・メッセージおよび前記本物の応答を、前記ユーザのディスプレイ上で別々のウィンドウ内に提示することによって行われる、請求項１２に記載の方法。
【請求項１４】
前記識別表示は、前記スパム・メッセージおよび前記本物の応答を異なるアイコンでフラグ付けすることによって行われる、請求項１２に記載の方法。
【請求項１５】
前記少なくとも１つの応答メッセージがスパムとして分類されれば、前記少なくとも１つの応答メッセージは処分される、請求項９に記載の方法。
【請求項１６】
前記形成工程は、
前記探索メッセージを前記少なくとも１つのデコイ・ワードのみから作成する工程
を含む、請求項１に記載の方法。
【請求項１７】
前記探索メッセージへの応答として少なくとも１つの応答メッセージを受信する工程と、
前記少なくとも１つの応答メッセージの送信者をスパム発信者として分類する工程と
をさらに含む、請求項１に記載の方法。
【請求項１８】
前記分類工程は、
前記送信者を既知のスパム発信者のリストに追加する工程
を含む、請求項１７に記載の方法。
【請求項１９】
前記分類工程は、
前記送信者により送信される後続のメッセージを所定期間無視する工程
を含む、請求項１７に記載の方法。
【請求項２０】
ネットワーク内のスパムを減らす実行可能プログラムを含むコンピュータ可読媒体であって、前記プログラムは、
少なくとも１つのデコイ・ワードを含む探索メッセージを形成する工程と、
前記探索要求メッセージを前記ネットワーク内の１つまたは複数のノードへ送信する工程と
を実行する、コンピュータ可読媒体。
【請求項２１】
前記少なくとも１つのデコイ・ワードは任意に選択された自然語である、請求項２０に記載のコンピュータ可読媒体。
【請求項２２】
前記少なくとも１つのデコイ・ワードは架空の語である、請求項２０に記載のコンピュータ可読媒体。
【請求項２３】
前記少なくとも１つのデコイ・ワードは、前記探索メッセージ中に含まれている複数の探索キーワードと無関係である、請求項２０に記載のコンピュータ可読媒体。
【請求項２４】
前記形成工程は、
ユーザから探索メッセージを受信することと、
前記少なくとも１つのデコイ・ワードを前記探索メッセージに追加することと
を含む、請求項２０に記載のコンピュータ可読媒体。
【請求項２５】
前記少なくとも１つのデコイ・ワードは、前記受信した探索メッセージ中に含まれるワードまたは文字の総数のうち所定割合を含む、請求項２４に記載のコンピュータ可読媒体。
【請求項２６】
前記少なくとも１つのデコイ・ワードは所定定数のデコイ・ワードを含む、請求項２０に記載のコンピュータ可読媒体。
【請求項２７】
前記少なくとも１つのデコイ・ワードは、ユーザにより送信された１つまたは複数の先行の探索メッセージに基づく数のデコイ・ワードを含む、請求項２０に記載のコンピュータ可読媒体。
【請求項２８】
前記探索メッセージへの応答として少なくとも１つの応答メッセージを受信することと、
前記少なくとも１つの応答メッセージが、スパムとして分類されるのに十分なデコイ・ワードを含んでいるかどうかを判断することと
をさらに含む、請求項２０に記載のコンピュータ可読媒体。
【請求項２９】
前記少なくとも１つの応答メッセージにおいて前記少なくとも１つのデコイ・ワードと一致するワードの数が所定の閾値数以上となれば、前記少なくとも１つの応答メッセージはスパムとして分類されるのに十分なデコイ・ワードを含んでいる、請求項２８に記載のコンピュータ可読媒体。
【請求項３０】
前記応答メッセージ中のワードまたは文字の総数の所定の閾値割合以上が前記少なくとも１つのデコイ・ワードと一致すれば、前記少なくとも１つの応答メッセージはスパムとして分類されるのに十分なデコイ・ワードを含んでいる、請求項２８に記載のコンピュータ可読媒体。
【請求項３１】
スパムとして分類された複数の応答メッセージおよび本物の応答として分類された複数の応答メッセージをユーザへ識別表示すること
をさらに含む、請求項２８に記載のコンピュータ可読媒体。
【請求項３２】
前記形成工程は、
前記探索メッセージを前記少なくとも１つのデコイ・ワードのみから作成すること
を含む、請求項２０に記載のコンピュータ可読媒体。
【請求項３３】
前記探索メッセージへの応答として少なくとも１つの応答メッセージを受信することと、
前記少なくとも１つの応答メッセージの送信者をスパム発信者として分類することと
をさらに含む、請求項２０に記載のコンピュータ可読媒体。
【請求項３４】
前記分類は、
前記送信者を既知のスパム発信者のリストに追加すること
を含む、請求項３３に記載のコンピュータ可読媒体。
【請求項３５】
ネットワーク内のスパムを減らす装置であって、
少なくとも１つのデコイ・ワードを含む探索メッセージを形成する手段と、
前記探索要求メッセージを前記ネットワーク内の１つまたは複数のノードへ送信する手段と
を含む装置。
【発明の詳細な説明】
【技術分野】
【０００１】
本発明は、全般的にコンピュータ・ネットワークに関し、特に、ピア・ツー・ピアのデータ伝送ネットワーク上でのスパム（未承諾データ、またはなりすましデータなど）の伝播に関する。
【背景技術】
【０００２】
図１は、ピア・ツー・ピア（Ｐ２Ｐ：ｐｅｅｒ−ｔｏ−ｐｅｅｒ）方式で対話している複数のノード（コンピュータ・デバイスなど）のネットワーク１００の概略図である。一般的に、要求側ノード１０１は、探索メッセージ１０５（例えば、要求側ノード１０１が探し出したいデータに関係する複数のキーワードを含む）を、要求側ノード１０１とピア接続を介して通信している少なくとも１つの中間ノード１１１へ送信する。中間ノード１１１は、探索メッセージ１０５を受信し、その探索メッセージ１０５を少なくとも１つのさらなるノード１１１へ転送する。最終的に、探索メッセージ１０５は、要求対象データを有する少なくとも１つの応答側ノード１０３に届く（場合によっては、探索メッセージ１０５の最初の転送先である中間ノード１１１も応答側ノード１０３である）。続いて少なくとも１つの応答側ノード１０３は、例えば複数の中間ノード１１１を介して、要求側ノード１０１へ応答メッセージ１０７を返送する。次に要求側ノード１０１は、例えば直接接続１０９を介して、応答側ノード１０３に直接接続することで応答側ノード１０３からの関連データを要求する。
【発明の開示】
【発明が解決しようとする課題】
【０００３】
従来のＰ２Ｐシステムでは、一部の応答側ノード１０３が、伝送されるファイル内に「スパム」内容（例えば、宣伝などの未承諾データまたはなりすましデータ）を隠すことがよく見られるようになった。応答側ノードの一部には、探索メッセージに含まれるキーワードに関係なく、事実上全ての受信する探索メッセージに応答してスパム内容を送信するものまでもある。例えば、応答側ノード１０３は、探索語「Ｊｏｅ’ｓ  ｐｏｅｔｒｙ」を含む探索要求メッセージ１０５への応答として、「Ｊｏｅｓ＿ｐｏｅｔｒｙ．ｍｐ３」または「ＪｏｅｓＰｏｅｔｒｙ．ｗｍｖ」という名のファイルを有すると知らせることもある。しかし実際には、ファイルはＪｏｅ’ｓ  ｐｏｅｔｒｙに関係した内容を含まず、Ｊｏｅともｐｏｅｔｒｙとも全く無関係な製品の宣伝を含む。要求側ノードのユーザが伝送されたファイルの内容を直ちに確認しなければ、ユーザは伝送されたファイルがスパムを含むことに気づかない可能性もあり、知らずにそのスパム内容をＰ２Ｐネットワーク上の他のユーザと共有することもある。
【０００４】
そのため、Ｐ２Ｐネットワーク上でスパムを減らす方法および装置が当該技術分野で必要とされている。
【課題を解決するための手段】
【０００５】
ピア・ツー・ピア・ネットワーク内のスパムを減らすための本方法および本装置の一実施形態は、少なくとも１つのデコイ・ワード（ｄｅｃｏｙ  ｗｏｒｄ）を含む探索メッセージを形成すること、およびデコイ・ワード（単数または複数）を含むこの探索要求メッセージをネットワーク内の１つまたは複数のノードへ送信することを含む。本発明の実施形態は、あらゆる探索メッセージに（例えば、探索メッセージの内容に関係なく）応答してスパムを送信するネットワーク内のノードを除外することを可能にする。
【０００６】
上で列挙された本発明の実施形態の実現法を詳しく理解するためには、添付の図面に示されている本発明の実施形態を参照し、上で簡潔にまとめた本発明についてのさらに詳しい説明を得るとよい。なお、本発明は同等に有効な他の実施形態も許容し得るため、添付の図面は本発明の典型的な実施形態のみを示しており、従って本発明の範囲を制限するものとは見なされない。
【０００７】
容易に理解できるよう、可能な場合は、複数の図に共通する同一の要素を表すために同一の参照番号が使用されている。
【発明を実施するための最良の形態】
【０００８】
一実施形態では、本発明はＰ２Ｐネットワーク内のスパムを減らす方法および装置である。本発明の実施形態は、探索メッセージへの応答として送信された偽装スパムを、関連データをダウンロードする前にユーザが特定できるようにして、ユーザがダウンロードしないようにし、後にスパムを他のユーザと共有する可能性をなくす。本発明の実施形態は、探索メッセージの内容に関係なく、受信する事実上全ての探索メッセージに応答してスパムを送信するノードを特定するのに特に効果的である。
【０００９】
本発明において、「ノード」という用語は、Ｐ２Ｐネットワークに接続されているパーソナル・コンピュータ・デバイス（例えば、デスクトップ・コンピュータ、ラップトップ・コンピュータ、セル式電話、携帯情報端末など）、サーバ、ルータまたは同様のものなどのコンピュータ・デバイスを指す。
【００１０】
図２は、本発明によるＰ２Ｐネットワーク上のスパムを減らす方法２００の一実施形態を示す流れ図である。本発明はＰ２Ｐネットワークという状況の中で説明されるが、当業者には当然のことながら、本発明は、ユーザが未知の相手とデータを共有する事実上全てのデータ伝送ネットワークにおいて有用性を有すると思われる。方法２００は、例えばＰ２Ｐネットワーク内のノードなどで実装されるとよい。
【００１１】
方法２００は工程２０２で初期化されて工程２０４へ進み、ここで方法２００は、例えば探索メッセージのソースであるノードのユーザから、探索メッセージを受信する。探索メッセージは、例えば、ユーザがネットワーク内で探したいデータに関係する１つまたは複数の探索キーワードなどを含む。例えば、探索メッセージが「Ｊｏｅ  Ｓｍｉｔｈ」および「Ｈａｐｐｙ  Ｂｉｒｔｈｄａｙ」というワードを含み、Ｊｏｅ  Ｓｍｉｔｈの「Ｈａｐｐｙ  Ｂｉｒｔｈｄａｙ」というアルバムまたは曲に関係したメディア・ファイルをユーザが探索したいということを示すことも考えられる。
【００１２】
工程２０６において方法２００は、工程２０４で受信した探索メッセージに少なくとも１つの「デコイ」ワードを追加する。一実施形態では、デコイ・ワードは探索メッセージ中の複数のキーワードとは無関係の自然語である。一実施形態では、デコイ・ワードは辞書から任意に選択されて探索メッセージに挿入される。別の実施形態では、デコイ・ワードは空想または架空の言葉である。例えば上記の例では、方法２００が、「ｅｌｅｐｈａｎｔ」、「ｇｉｒａｆｆｅ」および「ｄｉｎｏｓａｕｒ」というワードを「Ｊｏｅ  Ｓｍｉｔｈ」および「Ｈａｐｐｙ  Ｂｉｒｔｈｄａｙ」というワードを含む探索メッセージに追加することも考えられる。
【００１３】
一実施形態では、探索メッセージに追加されるデコイ・ワードの数が事前に定義されている。例えば、ユーザは、各探索メッセージに一定数のデコイ・ワードが自動的に追加されるよう、または、追加されるデコイ・ワードが元の探索メッセージ中のワードまたは文字の総数のうち一定割合を含むよう指定してもよい。別の実施形態では、探索メッセージに追加されるデコイ・ワードの数は、ユーザにより送信された先行の探索メッセージの長さに基づく（例えば、デコイ・ワードを含む探索メッセージの長さが先行する複数の探索メッセージの平均の長さとほぼ一致するように、いくつかのデコイ・ワードが追加されてもよい）。
【００１４】
工程２０８において方法２００は、例えば標準的なＰ２Ｐプロトコルに従い、デコイ・ワードを含む探索メッセージを送信する。続いて方法２００は工程２１０で、探索メッセージに対する少なくとも１つの応答メッセージを受信する。一実施形態では、方法２００は、応答メッセージが無制限に受信されることを防ぐために、指定期間の経過後または指定数の応答メッセージの受信後に応答メッセージの受け取りを停止するよう指定してもよい。
【００１５】
方法２００が応答メッセージの受信を開始すると、方法２００は工程２１２へ進み、受信した応答メッセージを検査する。厳密には、方法２００は応答メッセージの内容を検査する。工程２１４において方法２００は、工程２０６で探索メッセージに追加されたデコイ・ワードのいずれかを、応答メッセージが含むかどうか判断する。
【００１６】
応答メッセージが十分なデコイ・ワード（例えば、所定の基準により指定されている）を含めば、方法２００は工程２１６へ進み、その応答メッセージをスパムとして分類する。あるいは、応答メッセージが十分なデコイ・ワードを含まなければ、方法２００は工程２１８へ進み、その応答メッセージを本物の応答として分類する。一実施形態では、応答メッセージが所定の閾値数以上のデコイ・ワードを含むか、または応答メッセージ中のワードまたは文字の総数のうち所定の閾値割合以上をデコイ・ワードが含めば、応答メッセージはスパムとして分類されるのに「十分な」デコイ・ワードを含んでいる。一実施形態では、スパムとして分類された応答は処分される。
【００１７】
当業者であれば、応答メッセージのスパムまたは本物の応答への分類は絶対的でないということが分かるであろう。つまり、所定基準に基づきスパムと特定された応答メッセージが、実際には本物の応答であることも時にはあり得るということである。同様に、所定基準に基づきスパムと特定されるのに十分なデコイ・ワードを、スパム・メッセージが含んでいないことも時にはあり得る。したがって、所定基準がユーザにより調節されて、方法２００の感度が調整されるとよい。さらに方法２００は、一実施形態において、分類結果（例えば工程２１６および２１８からのもの）を視覚表示としてユーザへ提示してもよい。この視覚表示は、方法２００による、受信した応答メッセージの初期のフィルタリングを表し、ユーザはこの初期のフィルタリング結果を点検して、受信した応答メッセージが適切に分類されていること確認するとよい（例えば、多数の商業電子メール・プロバイダによる電子メールのフィルタリングと同様の方式で）。例えば、方法２００は、「スパム」および「非スパム」の応答メッセージをユーザのディスプレイ上で別々のウィンドウまたはペイン内に提示してもよいし、応答メッセージを「スパム」または「非スパム」としてフラグ付けしてもよい（例えば、１つまたは複数のアイコンを使用）。
【００１８】
方法２００が、受信した応答メッセージをスパムまたは本物の応答のいずれかに分類する（例えば、工程２１６または２１８で）と、方法２００は工程２２０へ進み、未検査の応答メッセージが残っているかどうかを判断する。未検査の応答メッセージが少なくとも１つあると方法２００が判断した場合、方法２００は工程２１２へ戻り、上で説明したように進み次の応答メッセージを検査および分類する。あるいは、未検査の応答メッセージは残っていないと方法２００が判断すると、方法２００は工程２２２で終了する。
【００１９】
このようにして方法２００は、Ｐ２Ｐネットワーク上のユーザが迅速にネットワーク内のスパム発信者を特定できるようにする。方法２００は、任意のデコイ・ワードをユーザの探索メッセージに挿入することにより、事実上全ての受信する探索メッセージに応答するノードからの応答メッセージを除外することができる。この、全メッセージに応答するというのは、スパム発信者がとる典型的な手法である。さらに、スパム発信者からデータをダウンロードする前に発信者を特定することにより、ユーザは、スパムのダウンロードだけでなく、後にこのユーザからデータをダウンロードする他のユーザとのスパムの共有も回避できる。加えて、ユーザがスパム発信者に直接接続されている場合、ユーザは、方法２００の適用によって収集された情報に基づいてそのスパム発信者への接続を切断することを選択でき、その結果、スパム発信者を孤立させてその発信者によるそれ以上のスパムの配信が防止される可能性もある。同様に、ユーザは単に、スパム発信者から送信される全メッセージを所定期間無視することを決定してもよい。例えば、一実施形態において方法２００は、そのスパム発信者のネットワーク識別子（ＩＰアドレスなど）を既知のスパム発信者ノードのリストに追加してもよく、その場合、このリスト上のノードから受信される全メッセージが所定期間無視される。
【００２０】
図３は、本発明による、Ｐ２Ｐネットワーク上でスパムを減らす方法３００の第２の実施形態を示す流れ図である。言い換えると、方法３００は、探索メッセージが論理積と見なされる（例えば、探索メッセージ中の全キーワードに一致するデータのみが探索応答を生成する）データ伝送ネットワークに合わせたものである。方法３００は、例えばＰ２Ｐネットワーク内のノードに実装されるとよい。
【００２１】
方法３００は、工程３０２で初期化されて工程３０４へ進み、ここで方法３００はデコイ・ワードのみを使用して探索メッセージを作成する。方法２００で使用されたデコイ・ワードと同様に、工程３０４において探索メッセージの作成に使用されるデコイ・ワードも、例えば辞書から選択されたものなど、個々に関連しない任意の自然語を含む。したがって、例えば、工程３０４で作成される探索メッセージは、「ｅｌｅｐｈａｎｔ」および「ｈｏｃｋｅｙ」というワードを含んでもよい。
【００２２】
工程３０６において方法３００は、例えば標準的なＰ２Ｐプロトコルに従い、探索メッセージを送信する。続いて方法３００は工程３０８で、探索メッセージに対する少なくとも１つの応答メッセージを受信する。一実施形態において、方法３００は、応答メッセージが無制限に受信されることを防ぐために、指定期間の経過後または指定数の応答メッセージの受信後に応答メッセージの受け取りを停止するよう指定してもよい。
【００２３】
方法３００が応答メッセージの受信を開始すると、方法３００は工程３１０へ進み受信した応答メッセージを検査する。厳密には、方法３００は応答メッセージを検査して応答メッセージの送信者を確認する（例えば、応答メッセージに関連したＩＰアドレスにより特定される）。
【００２４】
工程３１２で、方法３００は、その応答メッセージの送信者をスパム発信者（例えば、スパムを送信することが知られているノード）として分類する。続いて方法３００は、その送信者から送信される全メッセージを所定期間無視することを決定してもよい。一実施形態において、方法３００は、その送信者のネットワーク識別子（ＩＰアドレスなど）を既知のスパム発信者ノードのリストに追加してもよく、その場合、このリスト上のノードから受信される全メッセージが所定期間無視される。
【００２５】
方法３００が、受信した応答メッセージの送信者をスパム発信者として分類すると、方法３００は工程３１４へ進み未検査の応答メッセージが残っているかどうかを判断する。未検査の応答メッセージが少なくとも１つあると方法３００が判断した場合、方法３００は工程３１０へ戻り、上記で説明したように進み次の応答メッセージの送信者を検査および分類する。あるいは、未検査の応答メッセージは残っていないと方法３００が判断すると、方法３００は工程３１６で終了する。
【００２６】
図４は、汎用コンピュータ・デバイス４００を使用して実装されたスパム削減方法のハイレベル・ブロック図である。一実施形態において、汎用コンピュータ・デバイス４００は、プロセッサ４０２、メモリ４０４、スパム削減モジュール４０５、ならびに、ディスプレイ、キーボード、マウス、モデムおよび同種のものなど、種々の入出力（Ｉ／Ｏ：ｉｎｐｕｔ／ｏｕｔｐｕｔ）デバイス４０６を含む。一実施形態では、少なくとも１つのＩ／Ｏデバイスは記憶装置（ディスク・ドライブ、光学ディスク・ドライブ、フレキシブル・ディスク・デバイスなど）である。当然のことながら、スパム削減モジュール４０５は、通信チャネルを通してプロセッサにつながれた物理的デバイスまたはサブシステムとして実装することができる。
【００２７】
あるいは、スパム削減モジュール４０５は、１つまたは複数のソフトウェア・アプリケーション（あるいは、例えば特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）を使用したソフトウェアおよびハードウェアの組み合わせ）により表現することができ、その場合、ソフトウェアは記憶媒体（Ｉ／Ｏデバイス４０６など）から汎用コンピュータ・デバイス４００のメモリ４０４内にロードされ、プロセッサ４０２により動作させられる。そのため一実施形態では、上記の図を参照して本願明細書で説明された、Ｐ２Ｐネットワーク内でスパムを減らすスパム削減モジュール４０５を、コンピュータ可読媒体またはコンピュータ可読キャリア（ＲＡＭ、磁気または光学のドライブまたはディスケットおよび同様のものなど）に記憶することも可能である。
【００２８】
このように、本発明は、データ伝送ネットワーク分野における重要な進歩を意味する。探索メッセージへの応答として送信された偽装スパムを、関連データをダウンロードする前にユーザが特定できるようにしてユーザがダウンロードしないようにし、後にスパムを他のユーザと共有する可能性をなくす方法および装置が提供される。このように、ネットワークを通したスパムの拡散が大幅に減らされる。
【００２９】
前述のものは本発明の好適な実施形態を対象としているが、本発明の根本的な範囲から逸脱せずに、本発明の他のさらなる実施形態が考案されてもよい。加えて、本発明の範囲は後に続く特許請求の範囲により確定される。
【図面の簡単な説明】
【００３０】
【図１】ピア・ツー・ピア方式で対話している複数のノードのネットワークの概略図である。
【図２】本発明による、Ｐ２Ｐネットワーク上でスパムを減らす方法の一実施形態を示す流れ図である。
【図３】本発明による、Ｐ２Ｐネットワーク上でスパムを減らす方法の第２の実施形態を示す流れ図である。
【図４】汎用コンピュータ・デバイスを使用して実装されるスパム削減方法のハイレベル・ブロック図である。
【図１】
2008547095.tif 000003
【図２】
2008547095.tif 000004
【図３】
2008547095.tif 000005
【図４】
2008547095.tif 000006